(57)【要約】      （修正有）【課題】シャワー吐水の水を特定の方向に流すことが可能な吐水装置を提供する。【解決手段】複数の散水孔を有する吐水口からシャワー吐水を行う吐水装置であり、重力に直交する水平面に対するシャワー吐水の吐水領域３１が屈曲した形状をなし、シャワー吐水の吐水領域３１の内側に、シャワー吐水の水が吐水されない非吐水領域３３が形成され、非吐水領域３３が、シャワー吐水の吐水領域３１の外側の領域３６とつながっている。【選択図】図４
2020066844.tif 000002
【特許請求の範囲】
【請求項１】
複数の散水孔を有する吐水口からシャワー吐水を行う吐水装置であり、
重力に直交する水平面に対する前記シャワー吐水の吐水領域が屈曲した形状をなし、
前記シャワー吐水の吐水領域の内側に、前記シャワー吐水の水が吐水されない非吐水領域が形成され、
前記非吐水領域が、前記シャワー吐水の吐水領域の外側の領域とつながっている吐水装置。
【請求項２】
前記シャワー吐水の吐水領域がＣ字状である請求項１に記載の吐水装置。
【発明の詳細な説明】
【技術分野】
【０００１】
本発明は、吐水装置に関する。
【背景技術】
【０００２】
従来、キッチンや洗面台等に設置される吐水装置として、複数の散水孔を有する吐水口からシャワー吐水を行う吐水装置が知られている。例えば下記特許文献１に記載の吐水装置は、吐水口の周方向に沿って散水孔が所定のピッチで円環状に配され、シャワー吐水の水は、着水面において円環状の吐水領域を形成する。
【先行技術文献】
【特許文献】
【０００３】
【特許文献１】特開２０１４−２１１０３６号公報
【発明の概要】
【発明が解決しようとする課題】
【０００４】
しかしながら、上記のような構成では、キッチンのシンクや洗面台のボウルに付着したごみ等を洗い流す際、シャワー吐水の水が放射方向に概ね均等に流れるため、特定の方向にごみ等を流しにくい。このため、シャワー吐水の水を特定の方向に流すことが可能な吐水装置の提供が望まれた。
【０００５】
本発明は上記のような事情に基づいて完成されたものであって、シャワー吐水の水を特定の方向に流すことが可能な吐水装置を提供することを目的とする。
【課題を解決するための手段】
【０００６】
本発明の吐水装置は、複数の散水孔を有する吐水口からシャワー吐水を行う吐水装置であり、重力に直交する水平面に対する前記シャワー吐水の吐水領域が屈曲した形状をなし、前記シャワー吐水の吐水領域の内側に、前記シャワー吐水の水が吐水されない非吐水領域が形成され、前記非吐水領域が、前記シャワー吐水の吐水領域の外側の領域とつながっているものである。
【発明の効果】
【０００７】
本発明によれば、シャワー吐水の吐水領域の内側に形成された非吐水領域にシャワー吐水の水が集まり、非吐水領域に集まった水が、外側の領域につながっている部分からシャワー吐水の吐水領域の外側の領域に向かって流れる。したがって、シャワー吐水の水を特定の方向に流すことができる。
【図面の簡単な説明】
【０００８】
【図１】実施例１における吐水装置を示す斜視図
【図２】吐水口を示す図
【図３】シャワー吐水の吐水領域を表す側面図
【図４】シャワー吐水の吐水領域を表す平面図
【図５】実施例２における吐水装置であって、シャワー吐水の吐水領域を表す平面図
【発明を実施するための形態】
【０００９】
本発明の好ましい形態を以下に示す。
本発明の吐水装置は、前記シャワー吐水の吐水領域がＣ字状であるものとしてもよい。このような構成によれば、シャワー吐水の吐水領域から外側の領域に向かう放射方向の流れと、非吐水領域からシャワー吐水の吐水領域の切れ目を通って外側の領域に向かう特定方向の流れとが形成されるから、使い勝手をより良くできる。
【００１０】
＜実施例１＞
以下、本発明を具体化した実施例１について、図１〜図４を参照しつつ詳細に説明する。
本実施例における吐水装置は、キッチンの流し台等に設置されるシングルレバー式の混合水栓であり、図１に示すように、水栓本体部１０と、水栓本体部１０の上面から前方に延びた吐水部１１と、を備えている。吐水部１１は、水栓本体部１０を中心に、水平方向に回動自在である。
【００１１】
水栓本体部１０の内部には、図示しない冷水の供給源及び温水の供給源にそれぞれ接続された冷水管及び温水管と、水と湯とを所定比率で混合する混合弁（図示せず）とが備えられている。水栓本体部１０には、混合弁を操作するハンドルレバー１２が備えられている。
【００１２】
吐水部１１は、図３に示すように、水栓本体部１０の上面から前方（図３では左側）に向かって延びている。吐水部１１は、中間部が湾曲して先端側が下方に延びた、いわゆるグースネック状をなしている。
【００１３】
吐水部１１の先端部には、下方にある物体を検知するセンサ１３が設けられている。センサ１３は、所定の検知エリア内に被検知物があるか否かを検知し、被検知物の検知結果を示す信号を制御部に出力する。制御部は、センサ１３からの出力信号に基づき電磁弁を開閉し、吐水口１６からの給水の有無を切り替える。
【００１４】
吐水部１１には、着脱自在な吐水ヘッド１４が備えられ、吐水部１１の内部には、吐水ヘッド１４に給水するための図示しない給水ホースが引き出し自在に収納されている。
【００１５】
吐水ヘッド１４には、多数の小さな散水孔１５を有してシャワー吐水を行う吐水口１６が備えられている。吐水口１６は、図２に示すように、散水孔１５が形成された散水板１７を備えている。散水板１７は、円形の板状をなし、散水孔１５が全体に分散して設けられている。このうち一部の散水孔１５の向き（散水孔１５から水が吐水される方向）を変えることで、後述する非吐水領域３３及び切欠部３５を形成している。散水板１７は筒状部１８に取り囲まれている。散水板１７の外周面と筒状部１８の内周面との間の整流孔１９から、水流を一つにまとめて吐水する整流吐水を形成する水が流出する。
【００１６】
筒状部１８の外側には、シャワー吐水と整流吐水との切り替え操作を行うための操作部材２１が備えられている。操作部材２１を所定の角度回転することにより、シャワー吐水と整流吐水とを切り替えできる。
【００１７】
吐水口１６の向きは、図３に示すように、重力方向に平行な鉛直方向に対して若干斜めに傾いている。吐水口１６の中心を通って散水板１７の板厚方向に平行な方向（筒状部１８の軸方向）に延びる吐水口１６の延長線３０は、吐水口１６から斜め下前方に延びている。
【００１８】
重力に直交する水平面Ｈに対するシャワー吐水の吐水領域３１は、散水孔１５から流出した水が水平面Ｈに落ちる落下点３２の集合を囲った領域であり、図４では二点鎖線で囲まれた領域である。水平面Ｈは、本実施例では、図３に示すように、水栓本体部１０の設置面と概ね同じ高さに位置する水平な面（重力方向に対して直交する面）である。なお、水平面Ｈは、必ずしも設置面と同じ高さの面でなくてもよく、例えば吐水口１６と設置面との間の中間の高さに位置する面であってもよいし、設置面より低い高さに位置する面であってもよい。
【００１９】
シャワー吐水の吐水領域３１は、図４に示すように、Ｃ字状に屈曲した形状、詳しくは、吐水口１６の延長線３０と水平面Ｈとの交点３４を中心とした略円弧形の帯状をなしている。シャワー吐水の吐水領域３１の外形は、水平面Ｈ上に投影した吐水口１６の外形１６Ｔより一回り大きい。
【００２０】
シャワー吐水の吐水領域３１は、周方向の一部が切り欠かれた形態をなしている。シャワー吐水の吐水領域３１のうち切り欠かれた部分（以後、切欠部３５と称する）は、交点３４を中心とした概ね４５度の角度範囲にわたっている。
【００２１】
シャワー吐水の吐水領域３１の径方向における内側に、シャワー吐水が吐水されない（すなわち落下点３２がない）非吐水領域３３が形成されている。非吐水領域３３は、吐水口１６の外形１６Ｔより一回り大きい円形状をなしている。非吐水領域３３は、シャワー吐水の吐水領域３１の外側の領域（以後、外側領域３６と称する）とつながっている。非吐水領域３３と外側領域３６とをつなぐ連続領域３７は、切欠部３５に形成されている。
【００２２】
シャワー吐水の水は、図４に示すように、水平面Ｈに落下した後、水平面Ｈに沿ってシャワー吐水の吐水領域３１から外側領域３６に放射状に向かう流れＦ１と、水平面Ｈに沿って非吐水領域３３に向かう流れＦ２とを形成する。外側領域３６に向かう放射状の流れＦ１は、シャワー吐水の吐水領域３１の周方向において概ね均等な流量で、交点３４を中心とした放射方向に流れる。非吐水領域３３に向かう流れＦ２は、非吐水領域３３の中心部に集まる。非吐水領域３３の中心部に集まった水は、連続領域３７を通って外側領域３６に流れ、特定方向の流れＦ３を形成する。特定方向の流れＨ３は、外側領域３６に向かう放射状の流れＦ１に比して、シャワー吐水の水が集まるために流量が増している。
【００２３】
次に、上記のように構成された実施例の作用および効果について説明する。
本実施例の吐水装置は、複数の散水孔１５を有する吐水口１６からシャワー吐水を行う吐水装置であり、重力に直交する水平面Ｈに対するシャワー吐水の吐水領域３１が屈曲した形状をなし、シャワー吐水の吐水領域３１の内側に、シャワー吐水の水が吐水されない非吐水領域３３が形成され、非吐水領域３３が、シャワー吐水の吐水領域３１の外側領域３６とつながっている。この構成によれば、シャワー吐水の吐水領域３１の内側に形成された非吐水領域３３にシャワー吐水の水が集まり、非吐水領域３３に集まった水が、シャワー吐水の吐水領域３１の外側領域３６に向かって流れる。したがって、シャワー吐水の水を特定の方向に流すことができる。
【００２４】
また、シャワー吐水の吐水領域３１がＣ字状である。この構成によれば、シャワー吐水の吐水領域３１から外側領域３６に向かう放射方向の流れＦ１と、非吐水領域３３からシャワー吐水の吐水領域３１の切れ目を通って外側領域３６に向かう特定方向の流れＦ３とが形成されるから、使い勝手をより良くできる。
【００２５】
＜実施例２＞
次に、本発明を具体化した実施例２に係る吐水装置を図５によって説明する。
本実施例の吐水装置は、シャワー吐水の吐水領域５０がＸ字状である点で、実施例１とは相違する。なお、実施例１と同様の構成には同一符号を付して重複する説明を省略する。
【００２６】
本実施例の吐水装置は、実施例１と同様、複数の散水孔１５を有する吐水口１６からシャワー吐水を行う吐水装置であり、水平面Ｈに対するシャワー吐水の吐水領域５０が屈曲した形状をなし、シャワー吐水の吐水領域５０の内側に非吐水領域５１が形成され、非吐水領域５１がシャワー吐水の吐水領域５０の外側領域５２とつながっている。
【００２７】
シャワー吐水の吐水領域５０は、吐水口１６の延長線３０と水平面Ｈとの交点３４を中心とした円形状をなす中心部５３と、中心部５３から四方に延びる延出部５４とを有している。延出部５４は、交点３４から所定の角度をなして一方（図５では上方）に延出する一対の第１延出部５４Ｆと、交点３４から所定の角度をなして他方（図５では下方）に延出する一対の第２延出部５４Ｓとを有している。
【００２８】
一対の第１延出部５４Ｆ及び一対の第２延出部５４Ｓは、それぞれ鋭角をなしている。一対の第１延出部５４Ｆの交差角度と一対の第２延出部５４Ｓの交差角度とは等しくなっている。
【００２９】
一対の第１延出部５４Ｆのうち一方（図５では左方）の第１延出部５４Ｆと、一対の第２延出部５４Ｓのうち一方（図５では左方）の第２延出部５４Ｓとは鈍角をなしている。また、一対の第１延出部５４Ｆのうち他方（図５では右方）の第１延出部５４Ｆと、一対の第２延出部５４Ｓのうち他方（図５では右方）の第２延出部５４Ｓとは、鈍角をなしている。
【００３０】
一方（図５では左方）の第１延出部５４Ｆと他方（図５では右方）の第２延出部５４Ｓとは、中心部５３から１８０度反対方向に延びている。また、他方（図５では右方）の第１延出部５４Ｆと一方（図５では左方）の第２延出部５４Ｓとは、中心部５３から１８０度反対方向に延びている。すなわち、一方（図５では左方）の第１延出部５４Ｆと他方（図５では右方）の第２延出部５４Ｓとは、中心部５３を通る直線状をなし、他方（図５では右方）の第１延出部５４Ｆと一方（図５では左方）の第２延出部５４Ｓとは、中心部５３を通る直線状をなしている。
【００３１】
非吐水領域５１は、交点３４を中心とした周方向に隣接する延出部５４の間に形成されている。すなわち非吐水領域５１は、一対の第１延出部５４Ｆの間と、一対の第２延出部５４Ｓの間と、一方の第１延出部５４Ｆと一方の第２延出部５４Ｓとの間と、他方の第１延出部５４Ｆと他方の第２延出部５４Ｓとの間とに形成されている。非吐水領域５１は、延出部５４によって２辺が囲まれた三角形状をなし、残りの一辺に対応する部分が外側領域５２につながる連続領域５５となっている。
【００３２】
シャワー吐水の水は、水平面Ｈに落下した後、水平面Ｈに沿って各延出部５４から非吐水領域５１に向かう流れＦ５を形成する。非吐水領域５１に向かう流れＦ５は、隣接する延出部５４の中心に向かって集まる。隣接する延出部５４の中心に集まった水は、連続領域５５を通って外側領域５２に流れ、特定方向の流れＦ６を形成する。特定方向の流れＦ６は、シャワー吐水の吐水領域５０の中心部５３から４つの方向に向かって形成される。
【００３３】
以上のように本実施例においては、実施例１と同様、シャワー吐水の吐水領域５０が屈曲した形状をなし、シャワー吐水の吐水領域５０の内側に非吐水領域５１が形成され、非吐水領域５１はシャワー吐水の吐水領域５０の外側領域５２とつながっているから、シャワー吐水の水が非吐水領域５１に集まって外側領域５２に向かって流れる。したがって、シャワー吐水の水を特定の方向に流すことができる。
【００３４】
＜他の実施例＞
本発明は上記記述及び図面によって説明した実施例に限定されるものではなく、例えば次のような実施例も本発明の技術的範囲に含まれる。
（１）上記実施例では、吐水装置がセンサ１３を備えているが、これに限らず、吐水装置はセンサを備えていなくてもよい。
（２）上記実施例では、吐水部１１がグースネック形状をなしているが、これに限らず、吐水部は、例えばカウンタからシンクの上方に略水平に延出する形状であってもよい。
（３）上記実施例では、吐水口１６が、吐水部１１に対して着脱自在な吐水ヘッド１４に設けられているが、これに限らず、吐水部に吐水ヘッドを設けず、吐水口を吐水部に直接的に設けてもよい。すなわち吐水部の内部に給水ホースを備えず、替わりに吐水部に固定された通水路を備えていてもよい。
（４）上記実施例では、吐水口１６の延長線３０が鉛直方向に対して傾いているが、これに限らず、吐水口の延長線は鉛直方向と平行であってもよい。
（５）上記実施例では、シャワー吐水の吐水領域３１（５０）がＣ字状またはＸ字状をなしているが、これに限らず、シャワー吐水の吐水領域は、例えばＬ字状やＶ字状であってもよい。
（６）上記実施例では、散水板１７の全体に散水孔１５を分散して設け、そのうち一部の散水孔１５の向きを変えることで、非吐水領域３３及び切欠部３５を形成しているが、これに限らず、散水板に形成する散水孔の位置を、シャワー吐水の吐水領域の形状をなすように配する（上記実施例１の場合はＣ字状をなすように配する）ことで、非吐水領域や切欠部を形成してもよい。
【符号の説明】
【００３５】
Ｈ…水平面
１５…散水孔
１６…吐水口
３１，５０…シャワー吐水の吐水領域
３３，５１…非吐水領域
３６，５２…外側領域（シャワー吐水の吐水領域の外側の領域）
【図１】
2020066844.tif 000003
【図２】
2020066844.tif 000004
【図３】
2020066844.tif 000005
【図４】
2020066844.tif 000006
【図５】
2020066844.tif 000007